(57)【要約】      （修正有）【課題】外部システムから取得した経路情報における出発地点と現在位置とが異なるシーンであっても、適切な経路情報を提示する。【解決手段】経路情報における出発地点と現在位置との間の距離に基づいて、経路情報における出発地点の変更が必要となる変更条件を具備すると判定された場合、経路情報における出発地点をキャンセルし、現在位置を起点として経路情報に規定される経路を最適化する最適化処理が行われる。【選択図】図１
2009204358.tif 000002
【特許請求の範囲】
【請求項１】
ナビゲーション装置において、
ナビゲーション用の地図情報に関する地図データを記憶する記憶手段と、
自己の現在位置を検出する検出手段と、
出発地点から目的地点へと至る一連の経路を規定する経路情報を外部システムから取得する取得手段と、
前記取得部によって取得された経路情報に基づいて、当該経路情報に規定される経路を前記地図情報に再現する再現手段と、
前記再現手段の再現結果に基づいて、前記経路情報における出発地点と前記検出手段において検出される現在位置との間の距離を特定するとともに、当該特定された距離に基づいて、前記経路情報における出発地点の変更が必要となる変更条件を具備するかを判定する判定手段と、
前記判定手段によって変更条件を具備すると判定された場合、前記経路情報における出発地点をキャンセルし、前記現在位置を起点として前記経路情報に規定される経路を最適化する最適化処理を行う処理手段と
を有することを特徴とするナビゲーション装置。
【請求項２】
前記判定手段は、前記経路情報における出発地点から前記現在位置までの距離が、第１の距離から、当該第１の距離よりも長い第２の距離までの範囲内となる場合に、前記変更条件を具備すると判定することを特徴とする請求項１に記載されたナビゲーション装置。
【請求項３】
前記第１の距離は、前記経路情報における出発地点と前記現在位置とが同一地点と見なせるか否かを判断するために設定される距離であり、
前記第２の距離は、前記経路情報における出発地点を変更せずに、ユーザが意図的に遠回りする経路を希望するか否かを判断するために設定される距離であることを特徴とする請求項２に記載されたナビゲーション装置。
【請求項４】
前記処理手段は、前記最適化処理において、前記現在位置から前記経路情報に規定される経路の途中地点へと接続する新たな経路を作成し、当該作成された新たな経路と、前記経路情報において前記途中地点から目的地点へと至る経路とを結合することにより、最適経路を確定することを特徴とする請求項１から３のいずれか一項に記載されたナビゲーション装置。
【請求項５】
前記処理手段は、前記経路情報に規定される経路上において、前記経路情報における出発地点から前記第２の距離だけ離れた地点に出発地点候補を設定し、前記現在位置から前記設定された出発地点候補までの経路と、前記経路情報において当該出発地点候補から目的地点までの経路とを結合することにより、最適経路を確定することを特徴とする請求項２または３に記載されたナビゲーション装置。
【請求項６】
前記処理手段は、前記経路情報に規定される経路上において、前記経路情報における出発地点から前記第２の距離よりも大きな第３の距離だけ離れた地点に出発地点候補を新たに設定するとともに、前記現在位置から各出発地点候補までの経路をそれぞれ検索することにより、前記目的地点までの総体的な距離が最も短くなる出発地点候補を選択し、前記現在位置から前記選択された出発地点候補までの経路と、前記経路情報において当該出発地点候補から目的地点までの経路とを結合することにより、最適経路を確定することを特徴とする請求項５に記載されたナビゲーション装置。
【発明の詳細な説明】
【技術分野】
【０００１】
本発明は、ナビゲーション装置に関する。
【背景技術】
【０００２】
従来より、車両周辺の道路情報を表示したり、出発地点から目的地点までの経路情報を表示して経路誘導を行ったりするナビゲーション装置が知られている。
【０００３】
ところで、この類のナビゲーション装置において、実際に車両に乗り込んでから、出発地点および目的地点、さらには経由地点といった経路情報の設定を行うことは煩雑な作業となる。そこで、例えば、特許文献１には、ユーザがコンピュータ等により作成した経路情報をサーバよりダウンロードし、この情報をナビゲーション装置で再現して利用することにより、煩雑な設定作業を軽減させる手法が開示されている。
【特許文献１】特開平１１−１４３３５８号公報
【発明の開示】
【発明が解決しようとする課題】
【０００４】
しかしながら、特許文献１に開示された手法によれば、事前に作成された経路情報における出発地点と、経路案内を実際に開始する地点（車両の現在位置）とがずれている場合に、ナビゲーション装置で再現される経路情報が不適当な情報となる虞がある。
【０００５】
本発明はかかる事情に鑑みてなされたものであり、その目的は、外部システムから取得した経路情報における出発地点と現在位置とが異なるシーンであっても、適切な経路情報を提示することである。
【課題を解決するための手段】
【０００６】
かかる課題を解決するために、本発明は、ナビゲーション装置において、経路情報における出発地点と現在位置との間の距離に基づいて、経路情報における出発地点の変更が必要となる変更条件を具備すると判定された場合、経路情報における出発地点をキャンセルし、現在位置を起点として経路情報に規定される経路を最適化する最適化処理が行われる。
【発明の効果】
【０００７】
本発明によれば、適切な経路情報をユーザに提示することが可能となる。
【発明を実施するための最良の形態】
【０００８】
図１は、本発明の実施形態にかかるナビゲーション装置を含む経路配信システムを模式的に示すブロック図である。本実施形態にかかる経路配信システムは、ユーザ側に設けられるユーザ側コンピュータ１０（以下「ユーザ側ＰＣ」という）と、経路情報の配信者側に設けられる配信者側システム２０と、移動体（本実施形態では、車両）に搭載されてユーザによって利用されるナビゲーション装置３０とを主体に構成されている。この経路配信システムにおいて、ユーザ側ＰＣ１０と配信者側システム２０とは、インターネット等のネットワーク１５を介して相互に情報通信可能に構成されており、配信者側システム２０とナビゲーション装置３０とは、無線通信を行う基地局２５を介して相互に情報通信可能に構成されている。
【０００９】
ユーザ側ＰＣ１０は、パーソナルコンピュータ、携帯電話機、ＰＤＡ（Personal Digital Assistant）等の汎用の情報処理装置により構成されている。このユーザ側ＰＣ１０は、ネットワーク１５を介して配信者側システム２０に経路情報の作成を依頼したり、自己の依頼した経路情報を閲覧またはダウンロードしたりすることができる。経路情報の作成を依頼する場合、ユーザは、ユーザ側ＰＣ１０を介して経路候補情報を配信者側システム２０に送信する。ここで、経路候補情報は、配信者側システム２０が経路情報を作成するために必要となる情報であり、少なくとも出発地点と目的地点とを含む。また、この経路候補情報は、出発地点および目的地地点以外に、一つ以上の経由地点を含むこともできる。
【００１０】
配信者側システム２０は、ユーザからの依頼に応じて経路情報を作成する。配信者側システム２０は、経路探索装置２１と、地図データベース２２と、ゲートウェイサーバ２３と、データ保存サーバ２４とを主体に構成されている。
【００１１】
経路探索装置２１は、ユーザ側ＰＣ１０からの経路候補情報に基づいて、出発地点から到着地点へと至る一連の経路、または、出発地点から経由地点を経由して到着地点へと至る一連の経路を探索し、この探索結果を経路情報として作成する。経路探索装置２１において作成される経路情報は、地図データベース２２に記憶される地図データを参照して作成される。
【００１２】
地図データベース２２は、道路や地形等の地理的な情報であるナビゲーション用の地図情報に関する地図データを記憶している。地図データは、道路および交差点に位置情報が関連付けて構成されており、特定地点を表すノードと、特定地点間の接続を表す道路リンクとで構成される道路データが含まれている。地図データにおいて、地図情報上の各道路は交差・分岐・合流地点等に対応する複数のノードによって分割されており、それぞれのノード間の道路は道路リンクとして規定される。そのため、各道路リンクをノード毎に接続することにより、連続する道路に関する情報が構成される。
【００１３】
道路リンクは、そのリンクを特定する固有番号（リンクＩＤ）、リンクの長さを示すリンク長、リンクの始端および終端ノード座標（緯度・経度）、道路名称、道路幅員等の各データから構成される。ノードは、地図上の各道路が交差、合流、分岐するノード毎に固有の番号を付したノードＩＤ、ノード座標、ノード名称、ノードに接続する全ての道路リンクのリンクＩＤが記述される接続リンクＩＤ、交差点種類（一時停止規制の有無等）、信号機の設置位置、停止線の位置、交差点の環境条件などの各データから構成されている。
【００１４】
ゲートウェイサーバ（以下「ＧＷサーバ」という）２３は、ネットワーク１５に接続している。ＧＷサーバ２３は、ユーザ側ＰＣ１０からネットワーク１５を介して送信される情報を経路探索装置２１に伝送するとともに、経路探索装置２１から配信された情報をネットワーク１５を介してユーザ側ＰＣ１０に伝送する。
【００１５】
データ保存サーバ２４は、経路探索装置２１によって作成された経路情報を保存する。データ保存サーバ２４は、図２に示すように、経路情報の作成を依頼したユーザ毎に、当該ユーザを一意に識別するためのユーザＩＤと、ユーザによって依頼された経路情報とを対応付けて保存している。
【００１６】
この配信者側システム２０は、ナビゲーション装置３０から無線で送信された情報を基地局２５で受信し、その情報が基地局２５から有線送信されることにより、ナビゲーション装置３０からの情報を受信することができる。また、配信者側システム２０は、自己の情報を基地局２５へ有線送信し、その情報を基地局２５がナビゲーション装置３０に無線で送信することにより、ナビゲーション装置３０へ情報を送信することができる。
【００１７】
ナビゲーション装置３０は、車両周辺の地図情報および経路情報を提示（例えば、表示）する装置であり、コントロールユニット３１と、地図データベース（記憶手段）３２と、表示装置３３と、ＧＰＳ受信機３４と、通信アダプタ３５とを主体に構成されている。
【００１８】
コントロールユニット３１は、ナビゲーションに係わる処理を実行する。コントロールユニット３１としては、ＣＰＵ、ＲＯＭ、ＲＡＭ、Ｉ／Ｏインターフェースを主体に構成されたマイクロコンピュータを用いることができる。コントロールユニット３１は、これを機能的に捉えた場合、最適化部（処理手段）３１ａ、経路再現部（再現手段）３１ｂ、位置検出部（検出手段）３１ｃおよび経路探索部（処理手段）３１ｄを有している。
【００１９】
最適化部３１ａは、配信者側システム２０から取得（ダウンロード）した経路情報を処理対象として、当該情報を最適化する最適化処理を行う。なお、最適化部３１ａによって実行される最適化処理の詳細については、後述する。経路再現部３１ｂは、配信者側システム２０から取得した経路情報に基づいて、この経路情報に規定される経路を地図情報に再現する。経路再現部３１ｂは経路情報を地図情報に再現するにあたり、地図データベース３２に記憶される地図データを参照して行う。位置検出部３１ｃは、全地球測位システム（ＧＰＳ）受信機３４から得られる座標情報に基づいて、現在の車両位置を特定する。経路探索部３１ｄは、異なる２地点間における一連の経路情報、または、異なる２地点間において経由地点を経由する一連の経路情報を探索する。経路探索部３１ｄは、経路探索において、地図データベース２２に記憶される地図データを参照して行う。
【００２０】
地図データベース３２は、道路や地形等の地理的な情報であるナビゲーション用の地図情報に関する地図データを記憶している。この地図データベース３２の構成は、配信者側システム２０における地図データベース２２と同様である。表示装置３３は、コントロールユニット３１に制御されて、地図情報および経路情報を表示する。表示装置３３としては、液晶などの各種の表示装置を利用することができる。ＧＰＳ受信機３４は、ＧＰＳ衛星のうち、上空にある数個の衛星からの信号を受信する。受信した情報は、コントロールユニット３１に対して出力される。通信アダプタ３５は、携帯電話などの通信機器３６が接続される。この通信アダプタ３５および通信機器３６は、後述するように、経路情報を外部システム（本実施形態では、配信者側システム２０）から取得する取得手段として機能する。
【００２１】
ナビゲーション装置３０は、通信アダプタ３５に接続される通信機器３６を用いて、基地局２５に対して無線通信にて情報を送信したり、基地局２５から無線通信にて送信される情報を受信することができる。このような無線通信を通じ、ナビゲーション装置３０は、基地局２５を介して配信者側システム２０との間で情報通信を行うことができる。
【００２２】
このようなシステム構成を前提として、以下、本実施形態にかかるナビゲーション装置３０によって実行される経路情報の最適化処理について説明する。ここで、図３は、本実施形態にかかる経路情報の最適化処理の手順を示すフローチャートである。同図に示す最適化処理は、例えば、配信者側システム２０へ依頼した経路情報の利用を希望するユーザによる所定の操作を通じて、ナビゲーション装置３０のコントロールユニット３１に対してトリガー信号が入力されることを条件として、コントロールユニット３１によって実行される。
【００２３】
ここで、ナビゲーション装置３０によって実行される最適化処理の前提として、ユーザは、経路情報の作成依頼を配信者側システム２０に対して行っているものとする。具体的には、ユーザは、ユーザ側ＰＣ１０を介して経路候補情報を配信者側システム２０（経路探索装置２１）に送信することにより、経路情報の作成を依頼する。この際、ユーザは、経路候補情報における出発地点を、ユーザの自宅といったように住所等の所在が明確な地点を指定することが一般である。
【００２４】
配信者側システム２０（経路探索装置２１）は、経路情報の作成の依頼を受け付けると、地図データベース２２の地図データを参照した上で、経路候補情報に基づいて、出発地点から到着地点へと至る一連の経路（経由地点が含まれている場合には、出発地点から経由地点を経由して到着地点へと至る一連の経路）を探索し、この探索結果を経路情報として作成する。そして、配信者側システム２０（経路探索装置２１）は、作成した経路情報に、この経路情報を作成したユーザに割り当てられたユーザＩＤを対応付けた上で、この情報をデータ保存サーバ２４に保存する。
【００２５】
図３に示すように、まず、ステップ１（Ｓ１）において、経路再現部３１ｂは、通信機器３６および通信アダプタ３５を介して、配信者側システム２０に対してユーザＩＤを送信することにより、経路情報のダウンロード要求を行う。配信者側システム２０では、ダウンロード要求を取得すると、経路探索装置２１が、送信されたユーザＩＤをキーとしてデータ保存サーバ２４を検索することにより、ユーザＩＤに対応する経路情報を特定する。経路情報を特定した配信者側システム２０は、そのダウンロード要求を行ったナビゲーション装置３０に対して、特定した経路情報を送信する。これにより、経路再現部３１ｂは、通信機器３６および通信アダプタ３５を介して、経路情報を取得する。
【００２６】
ステップ２（Ｓ２）において、経路再現部３１ｂは、配信者側システム２０からダウンロードした経路情報を、地図情報に再現する。この再現により、ダウンロードした経路情報、すなわち、出発地点から到着地点へと至る一連の経路（または、出発地点から経由地点を経由して到着地点へと至る一連の経路）が、図４において破線で示すように、地図情報上に規定される。
【００２７】
ステップ３（Ｓ３）において、位置検出部３１ｃは、現在位置を検出する。例えば、車両が自宅から離れた駐車場に駐車されている場合には、駐車場の位置が現在位置として検出される。
【００２８】
ステップ４（Ｓ４）において、最適化部３１ａは、経路情報における出発地点から現在位置までの距離に基づいて、経路情報における出発地点の変更が必要となる変更条件（第１の変更条件）を具備するか判定する。具体的には、最適化部３１ａは、第１の変更条件として、現在位置が、経路情報における出発地点を中心とする最適化範囲Ａ１内に存在するか否かを判断する（図５参照）。この最適化範囲Ａ１は、経路情報における出発地点を変更せずに、ユーザが意図的に遠回りする経路を希望するか否かを判断するために設定される範囲（経路情報における出発地点を中心とする距離）であり、実験やシミュレーションを通じてその最適値が予め設定されている。例えば、最適化範囲Ａ１は、出発地点を中心とした半径１ｋｍ（第２の距離）の範囲に設定されるといった如くである。
【００２９】
ステップ４において肯定判定された場合、すなわち、経路情報における出発地点から現在位置までの距離が最適化範囲Ａ１内である場合には、ステップ５（Ｓ５）に進む。一方、ステップ４において否定判定された場合、すなわち、経路情報における出発地点から現在位置までの距離が最適化範囲Ａ１よりも大きい場合には、後述するステップ１０（Ｓ１０）に進む。
【００３０】
ステップ５において、最適化部３１ａは、経路情報における出発地点から現在位置までの距離に基づいて、経路情報における出発地点の変更が必要となる変更条件（第２の変更条件）を具備するか判定する。具体的には、最適化部３１ａは、第２の変更条件として、現在位置が、経路情報における出発地点を中心とする同一判定範囲Ａ２内に存在するか否かを判断する（図５参照）。この同一判定範囲Ａ２は、経路情報における出発地点と現在位置とが同一地点と見なせるか否かを判断するために設定される範囲（経路情報における出発地点を中心とする距離）であり、実験やシミュレーションを通じてその最適値が予め設定されている。例えば、同一判定範囲Ａ２は、例えば、出発地点を中心とした半径１０ｍ（第１の距離）の範囲に設定されるといった如くである。
【００３１】
ステップ５において否定判定された場合、すなわち、経路情報における出発地点から現在位置までの距離が同一判定範囲Ａ２よりも大きい場合には、ステップ６（Ｓ６）に進む。一方、ステップ５において肯定判定された場合、すなわち、経路情報における出発地点から現在位置までの距離が同一判定範囲Ａ２内である場合には、ステップ１２（Ｓ１２）に進む。
【００３２】
ステップ６において、最適化部３１ａは、ｎ次出発地点候補を設定する。具体的には、最適化部３１ａは、経路情報における出発地点をキャンセルし、経路情報に規定される経路上において新たな出発地点候補を設定する。まず、最適化部３１ａは、図６に示すように、最適化範囲Ａ１と、経路情報に規定される経路との交点を一次出発地点候補として設定する。
【００３３】
ただし、この一次出発地点候補を経由することが必ずしも最適な経路になるとは限らず、道路形状によっては遠回りをしてしまう可能性もある。そこで、最適化部３１ａは、図７に示すように、一次出発地候補から所定距離（例えば、３ｋｍ）だけ離れた地点を二次出発地点候補、また、一次出発地候補から所定距離（例えば、５ｋｍ）だけ離れた地点を三次出発地点候補として設定する。
【００３４】
ステップＳ７において、最適化部３１ａは、ｎ次出発地点候補（本実施形態では、一次から三次出発地点候補）の中から、最適出発地点を決定する。具体的には、最適化部３１ａは、現在地点から各出発地点候補までの経路探索を経路探索部３１ｄに依頼する。最適化部３１ａは、経路探索部３１ｄの検索結果に基づいて、目的地点までの距離が全体として最も短くなるｎ次出発地点候補を最適出発地点として決定する。
【００３５】
ステップ８（Ｓ８）において、経路フラグＦrootが「２」にセットされる。
【００３６】
一方、ステップ４における否定判定に続くステップ１０では、経路探索部３１ｄにおいて、現在位置から、ダウンロードした経路情報における出発地点までの経路が検索される。検索された経路情報は、最適化部３１ａに対して出力される。ステップ１０に続くステップ１１（Ｓ１１）において、経路フラグＦrootが「１」に設定される。
【００３７】
これに対して、ステップ５における肯定判定に続くステップ１２（Ｓ１２）において、経路フラグＦrootが「０」に設定される。
【００３８】
ステップ９（Ｓ９）において、最適化部３１ａは、最終的な経路情報（最終経路情報）を確定する。最終経路情報は、経路フラグＦrootの値に応じて、次の通りに確定される。まず、経路フラグＦrootが「２」にセットされている場合、最適化部３１ａは、現在地点から最適出発地点までの経路と、ダウンロードした経路情報において最適出発地点から目的地点までの経路とを結合し、これを最終経路情報として確定する（図８参照）。一方、経路フラグＦrootが「０」にセットされている場合、最適化部３１ａは、ダウンロードした経路情報を最終経路情報として確定する（図９参照）。これに対して、経路フラグＦrootが「１」にセットされている場合、最適化部３１ａは、現在位置から経路情報における出発地点までの経路と、ダウンロードした経路情報とを結合し、これを最終経路情報として確定する。
【００３９】
以上の一連の処理により確定された経路情報は、地図情報とともに表示装置３３に表示され、これにより、ユーザの経路を案内するナビゲーション情報として機能する。
【００４０】
このように本実施形態において、ナビゲーション装置３０は、経路情報における出発地点と現在位置との間の距離に基づいて、経路情報における出発地点の変更が必要となる変更条件を具備するか判定する。そして、この変更条件を具備すると判定された場合には、経路情報における出発地点をキャンセルし、現在位置を起点として経路情報に規定される経路を最適化する最適化処理を行う。
【００４１】
例えば、図１０に示すように、経路情報における出発地点（自宅）と、経路案内を実際に開始する車両の現在位置（駐車場）とが位置的にずれているケースでは、駐車場から自宅までの経路が、経路情報に付加されてしまうため、遠回りな経路が提示されてしまう可能性がある。また、この遠回りの経路を無視し、駐車場の近くの経路から走行を開始した場合には、出発地点の通過判定がなされないため、何度もリルートが発生してしまう。そのため、ユーザはわざわざ出発地点（経由地点）を消去する操作を行わなければならず、ユーザに煩雑な操作を要求することになりかねない。
【００４２】
しかしながら、本実施形態の構成によれば、経路情報における出発地点と、経路案内を実際に開始する地点（車両の現在位置）とがずれているケースであっても、変更条件を具備すると判定されるため、経路情報における出発地点をキャンセルし、現在位置を起点として経路情報に規定される経路が最適化される。そのため、経路が遠回りとなったり、ユーザに煩雑な操作を要求することなく、適切な経路情報をユーザに提示することが可能となる。
【００４３】
また、本実施形態において、経路情報における出発地点から現在位置までの距離が、同一判定範囲Ａ２（出発地点を中心として第１の距離）から、最適化範囲Ａ１（出発地点を中心として第２の距離）までの範囲内となる場合に、変更条件を具備すると判定がなされる。この場合、第１の距離は、経路情報における出発地点と現在位置とが同一地点と見なせるか否かを判断するために設定される距離であり、第２の距離は、経路情報における出発地点を変更せずに、ユーザが意図的に遠回りする経路を希望するか否かを判断するために設定される距離である。
【００４４】
かかる構成によれば、経路情報における出発地点と現在位置とが同一の地点と見なせる場合には、経路情報の最適化を行わないので、不要な処理が実行されるといった事態を抑制することができる。また、経路情報における出発地点と現在位置とが大きく離れている場合には、ユーザが意図的に経由したい地点であると判断する。これにより、ユーザの意図にそった経路情報を提供することができる。
【００４５】
また、本実施形態において、ナビゲーション装置３０は、最適化処理において、現在位置から経路情報に規定される経路の途中地点へと接続する新たな経路を作成し、この作成された新たな経路と、経路情報において途中地点から目的地点へと至る経路とを結合することにより、最適経路を確定する。
【００４６】
かかる構成によれば、経路が遠回りとなったり、ユーザに煩雑な操作を要求したりすることなく、適切な経路情報をユーザに提示することが可能となる。
【００４７】
また、本実施形態において、ナビゲーション装置３０は、経路情報における出発地点から第２の距離だけ離れた地点に出発地点候補を設定し、現在位置から設定された出発地点候補までの経路と、経路情報において出発地点候補から目的地点までの経路とを結合することにより、最適経路を確定する。また、この場合、ナビゲーション装置３０は、経路情報における出発地点から第２の距離よりも大きな第３の距離だけ離れた地点に出発地点候補を新たに設定するとともに、現在位置から各出発地点候補までの経路をそれぞれ検索することにより、目的地点までの総体的な距離が最も短くなる出発地点候補を選択し、現在位置から選択された出発地点候補までの経路と、経路情報において出発地点候補から目的地点までの経路とを結合することにより、最適経路を確定することが好ましい。
【００４８】
かかる構成によれば、経路が遠回りとなったり、ユーザに煩雑な操作を要求したりすることなく、適切な経路情報をユーザに提示することが可能となる。また、最適な経路の作成において、道路形状によっては遠回りが生じてしまうという不都合の発生を抑制することができる。
【００４９】
なお、ナビゲーション装置３０は、図１１に示すように、現在位置（駐車場）から出発地点（自宅）まで、同じリンクの上下方向を通るＵターン経路のような場合は、出発地点をキャンセルして、現在地点からそのまま経路案内を始めてもよい。
【００５０】
以上、本発明の実施形態にかかるナビゲーション装置について説明したが、本発明は上述した実施形態に限定されることなく、その発明の範囲内において種々の変形が可能である。たとえば、ナビゲーション装置と、配信者側システムとの間の通信は、ネットワーク経由でもよい。また、ナビゲーション装置において、現在位置を検出する手法としては、上述した手法に限らず、複数の基地局から発信される電波を同時に受信し、電波の到達時間から割り出した基地局までの距離に基づいて現在位置を三角測量により特定したり、道路側に設けられた道路側インフラと路車間通信を行うことにより、現在の車両位置を特定したりしてもよい。当然、これらの手法を複合的に用いて、現在位置を特定してもよい。
【図面の簡単な説明】
【００５１】
【図１】ナビゲーション装置を含む経路配信システムを模式的に示すブロック図
【図２】データ保存サーバ２４の保存データを示す説明図
【図３】経路情報の最適化処理の手順を示すフローチャート
【図４】地図情報および経路情報を模式的に示す説明図
【図５】同一判定範囲Ａ２および最適化範囲Ａ１を示す説明図
【図６】一次出発地点の説明図
【図７】ｎ次出発地点の説明図
【図８】地図情報および最終経路情報を模式的に示す説明図
【図９】地図情報および最終経路情報を模式的に示す説明図
【図１０】従来手法による地図情報および経路情報を模式的に示す説明図
【図１１】地図情報および経路情報を模式的に示す説明図
【符号の説明】
【００５２】
１０      ユーザ側ＰＣ
１５      ネットワーク
２０      配信者側システム
２１      経路探索装置
２２      地図データベース
２３      ＧＷサーバ
２４      データ保存サーバ
２５      基地局
３０      ナビゲーション装置
３１      コントロールユニット
３１ａ    最適化部
３１ｂ    経路再現部
３１ｃ    位置検出部
３１ｄ    経路探索部
３２      地図データベース
３３      表示装置
３４      ＧＰＳ受信機
３５      通信アダプタ
３６      通信機器
【図１】
2009204358.tif 000003
【図２】
2009204358.tif 000004
【図３】
2009204358.tif 000005
【図４】
2009204358.tif 000006
【図５】
2009204358.tif 000007
【図６】
2009204358.tif 000008
【図７】
2009204358.tif 000009
【図８】
2009204358.tif 000010
【図９】
2009204358.tif 000011
【図１０】
2009204358.tif 000012
【図１１】
2009204358.tif 000013